(57)【要約】      （修正有）【課題】使用者に伝達する音声情報がある場合に、使用者が確実に音声情報を聞き取ることができる誘導加熱調理器を提供する。【解決手段】食品を加熱する加熱手段35,36と、音声を出力する音声出力手段と、加熱手段35,36の加熱開始や停止、加熱条件などを入力指示する操作ボタン26及び音声案内ボタン27を具えた操作手段20と、使用者による操作ボタン26の操作により加熱手段35,36を制御する制御手段40と、を具え、制御手段40は、操作ボタン26の操作内容を音声出力するためのデータ及び操作内容に関する詳細な説明を音声出力するためのデータを記憶する記憶部42を有すると共に、使用者による操作ボタン26の操作に応じて音声出力手段から操作ボタン26の操作内容を音声出力を出力した後、所定時間内に使用者が音声案内ボタン27を操作すると、操作内容に関する詳細な説明を音声出力手段から音声出力する。【選択図】図１
2011151034.tif 000002
【特許請求の範囲】
【請求項１】
本体上面に配置され、調理鍋が載置可能なトッププレートと、
トッププレート下側に配置された加熱コイルを含み、加熱コイルで発生させた磁束で調理鍋を誘導加熱する加熱手段と、
トッププレート下側に配置され、トッププレートを介して調理鍋の温度を測定する温度測定手段と、
温度測定手段により測定された温度によって、加熱手段の出力を制御する制御手段と、
を具え、
温度制御手段は、加熱コイル上の略中心に配置された中央サーミスタと、加熱コイルの中心と外周との間に配置された横サーミスタを有しており、
制御手段は、
加熱手段の作動開始後、
中央サーミスタの測定温度が温度Ａ以上であることを検知すると、
中央サーミスタの測定温度と横サーミスタの測定温度を比較し、横サーミスタの測定温度が、中央サーミスタの測定温度よりも温度ｂ以上高くなるまで、加熱手段の出力を抑えて作動させるようにしたことを特徴とする加熱調理器。
【請求項２】
制御手段は、中央サーミスタの測定温度と横サーミスタの測定温度を比較し、横サーミスタの測定温度が、中央サーミスタの測定温度よりも温度ｂ以上高くなると、
横サーミスタの測定温度が、温度Ｃ以上の場合には横サーミスタの測定温度が温度Ｃ以下になるまで加熱手段を停止する請求項１に記載の加熱調理器。
【発明の詳細な説明】
【技術分野】
【０００１】
本発明は、異常の発生や加熱の終了を音声により確実に使用者に伝達することのできる加熱調理器、及び、加熱手段の異常加熱等を防止できる加熱調理器を提供することである。
【背景技術】
【０００２】
誘導加熱調理器は、コイルを内蔵した加熱手段に高周波電圧を印加し、発生する高周波磁界によって、強磁性材料からなる調理鍋に生ずる渦電流によって、容器内の食材を加熱する調理器である。
誘導加熱調理器として、誤操作や異常発生時にメッセージを音声で報知し、使用者に注意を促すようにするものが提案されている(例えば、特許文献１参照)。
また、かかる誘導加熱調理器では、本体上面に調理鍋を載置するためのトッププレートを配置し、トッププレート下側に調理鍋の温度を検知するための鍋底サーミスタにより、トッププレートを介して調理鍋温度を検知し、かかる温度に基づいて制御回路が調理鍋の加熱制御を行うことも提案されている。
通常誘導加熱調理器では、加熱制御の正確性及び安全制御を実現するために、調理鍋の大きさや油量等の判定(以下「鍋判別」という)し、鍋判別の結果に基づいて加熱手段の出力を制御するようにしている。この鍋判別は、加熱手段作動時に温度測定手段により測定される温度変化を参照して行なわれている。
【０００３】
【特許文献１】特開２００６−４６３０号公報
【発明の開示】
【発明が解決しようとする課題】
【０００４】
しかしながら、第１の課題として、報知された音声を聞き逃した場合には、再報知は行なわれないから、異常発生時等の対応を十分に採ることができない問題があった。
また、報知され、聞けた音声が加熱開始停止程度なら問題はないが、自動調理時の注意や高温警報などについては、聞けたとしても、それに対する対応はすぐには分からないことが多い。そのため、家庭内に片付けてある取扱説明書を取り出して、読み内容を確認する必要があり、大変面倒であった。
【０００５】
また、第２の課題として、例えば、加熱調理を行なった直後に、常温の油を入れた調理鍋に加熱する加熱調理を実行する場合など、先の調理で加熱されたトッププレートが高温状態のままで次の調理に移行するために、鍋底サーミスタで正確な調理鍋の温度が検知できない。
そのため、鍋判定で調理鍋の大きさや油量等が判定できない。特に、油量が少ない場合に、加熱手段を高出力で作動させると、油温が急上昇し、異常加熱を起こす虞れがある。
【０００６】
本発明の目的は、加熱直後の油温の異常上昇を抑制することのできる誘導加熱調理器を提供することである。
【課題を解決するための手段】
【０００７】
上記課題を解決するために本発明の加熱調理器は、
本体上面に配置され、調理鍋が載置可能なトッププレートと、
トッププレート下側に配置された加熱コイルを含み、加熱コイルで発生させた磁束で調理鍋を誘導加熱する加熱手段と、
トッププレート下側に配置され、トッププレートを介して調理鍋の温度を測定する温度測定手段と、
温度測定手段により測定された温度によって、加熱手段の出力を制御する制御手段と、
を具え、
温度制御手段は、加熱コイル上の略中心に配置された中央サーミスタと、加熱コイルの中心と外周との間に配置された横サーミスタを有しており、
制御手段は、
加熱手段の作動開始後、
中央サーミスタの測定温度が温度Ａ以上であることを検知すると、
中央サーミスタの測定温度と横サーミスタの測定温度を比較し、横サーミスタの測定温度が、中央サーミスタの測定温度よりも温度ｂ以上高くなるまで、加熱手段の出力を抑えて作動させるようにした。
【０００８】
制御手段は、中央サーミスタの測定温度と横サーミスタの測定温度を比較し、横サーミスタの測定温度が、中央サーミスタの測定温度よりも温度ｂ以上高くなると、
横サーミスタの測定温度が、温度Ｃ以上の場合には横サーミスタの測定温度が温度Ｃ以下になるまで加熱手段を停止することが望ましい。
【発明の効果】
【０００９】
本発明の加熱調理器は、調理鍋の油量判別及び安全検知が可能か否かを判断するものである。
加熱手段を作動させる際に、中央サーミスタの温度を参照し、トッププレートが加熱状態にあると判断すると、調理鍋の温度とトッププレートの温度に差がある可能性があるため、油量判別を行なうことなく、横サーミスタの測定温度に基づいて、安全検知することにより、油温を異常加熱しないようにすることができる。
【発明を実施するための最良の形態】
【００１０】
図１は、本発明を適用することのできるビルトインタイプの誘導加熱調理器(10)の一例を示す斜視図である。また、図２は、本発明の誘導加熱調理器(10)の制御ブロック図である。
【００１１】
誘導加熱調理器(10)は、本体(12)の上面に天板枠(14)を有し、該天板枠(14)には、セラミック製のトッププレート(16)が配置されている。斯かるトッププレート(16)は、上面に調理鍋が載置され、加熱調理される。
【００１２】
天板枠(14)の前端には、上操作パネル(22)が配備されている。上操作パネル(22)は、後述する前操作パネル(24)と共に使用者が誘導加熱調理器(10)を制御する操作手段(20)を構成する。上操作パネル(22)には、複数の操作ボタン(23)が設けられており、使用者が調理鍋内の撹拌等を行ないながら、前屈みにならなくても、出力の調整等を行なうことができる。
天板枠(14)の後端には、本体(12)の内部の温度上昇を防止するための吸気口と排気口が形成されており、これらを繋ぐ流路内には、強制換気のためのファンが配置されている。吸気口及び排気口は、パンチング孔を穿孔したカバー(18)(19)で覆われている。
【００１３】
トッププレート(16)には、符号(30)(31)で示す丸枠部分が誘導加熱対応の調理鍋を載置する加熱部であり、後方にある符号(32)で示す丸枠部分は、誘導加熱非対応の調理鍋を載置する加熱部である。誘導加熱部(30)(31)の下側には、リッツ線を撚って渦巻き状に巻回した加熱コイルが配置されている。該加熱コイルを含み、加熱コイルに高周波電流を流して磁束を発生させ、トッププレート(16)上に載置した調理鍋を誘導加熱する加熱手段(35)(36)が本体(12)内に配備されている。誘導加熱非対応の加熱部(32)の下側には、輻射加熱を行う加熱手段(37)としてラジエントヒータが配備されている。
トッププレート(16)の前部中央には、誘導加熱調理器(10)の動作状態等を表示する表示部(28)が形成されている。
【００１４】
本体(12)は、前面右側に前操作パネル(24)が配備されている。前操作パネル(24)には、図１に示すように、加熱手段(35)(36)のオン、オフ及び出力を調節するダイヤル式の操作部(25)(25)や、音声情報を出力する音声案内ボタン(27)、その他操作ボタン(26)を複数有している。操作部(25)(25)は、前操作パネル(24)から出没可能となっている。また、前操作パネル(24)には、後述する音声報知手段(48)に接続されたスピーカ(49)、音声案内の有無を示す表示部(46)が設けられている。表示部(46)は、ＬＥＤにより構成することができる。なお、本発明の音声出力手段は、音声報知手段(48) とスピーカ(49)とを総称している。
【００１５】
また、本体(12)は、前面の左側には、ロースタ部(33)が形成されている。ロースタ部(33)の調理庫(60)には、加熱手段(38)としてシーズヒータが突設されており、引出し型のトレー(61)に焼き網(62)を載置して、加熱手段(38)により食品を加熱する。調理庫(60)は、天板枠(14)の後端に設けられた排気口に連通しており、調理庫(60)内の煙や臭気を内蔵する触媒及びファンによって、脱煙や脱臭しつつ強制排気する。触媒は、プラチナ触媒を例示でき、触媒性能を高めるために、触媒をヒータにより加熱することが望ましい。なお、ロースタ部(33)の詳細な構成については、後述する。
【００１６】
加熱手段(35)(36)の加熱コイル上面には、トッププレート(16)を介して調理鍋の温度を測定するために、夫々温度測定手段としてサーミスタが配置されている。該サーミスタは、加熱コイルの中心に中央サーミスタ(50)と、中心から半径の略１／２離れた位置に横サーミスタ(51)とが、トッププレート(16)の裏面に当接するよう配置されている。
【００１７】
上記構成の加熱調理器(10)のすべての制御は、本体(12)の内部の適所に配置された制御手段(40)によって行なわれる。具体的には、図２に示すように、制御手段(40)には、加熱手段(35)(36)(37)(38)、サーミスタ(50)(51)、操作手段(20)、音声報知手段(48)及び表示部(28)が電気的に接続されており、電源(図示せず)からの電力供給を受けて作動する。
【００１８】
制御手段(40)は、加熱調理器(10)に関する各種制御プログラム、調理プログラム等のプログラム、以下の実施例で示すフローチャートを夫々実行するためのプログラム等を格納した記憶部(42)を有している。調理プログラムとして、自動調理プログラム、タイマー調理プログラム、手動調理プログラムを例示できる。また、自動調理プログラムとしては、揚げ物用プログラム、焼き物用プログラム等を例示できる。
さらに、記憶部(42)には、各プログラムにおける望ましい油量、水量、加熱手段の運転開始、停止、中断及び／又は異常検知等の情報を音声出力するためのデータと、操作部(25)の操作ボタン(26)の操作内容を音声出力するためのデータ及び操作内容に関する詳細な説明を音声出力するためのデータと、異常検知時のなど警報内容を音声出力するためのデータ及び警報内容に関する対処方法を音声出力するためのデータとを記憶している。これら情報を以下「音声情報」という。
【００１９】
＜第１実施例＞
図３は、本発明の第１実施例を示すフローチャート図である。
本実施例では、使用者が、操作部(25)や操作ボタン(23)(26)等を操作したとき、加熱手段(35)(36)等が運転を開始した後、停止、中断、異常が発生した場合などに、制御手段(40)は、対応した音声情報があれば、表示部(46)のＬＥＤを点灯させて、使用者に音声情報があることを報知し、音声案内ボタン(27)を操作することにより、対応する音声情報を再生可能としたものである。
制御手段(40)は、サーミスタ(50)(51)や、その他のセンサ(図示せず)からの入力信号から、加熱手段(35)(36)等が正常に作動しているか否かを検知する異常検知手段を兼ねている。
【００２０】
例えば、制御手段(40)は、加熱中等に異常を検知すると、加熱を停止すると共に、警報内容となる音声情報がある場合に(ステップ１)、記憶部(42)から当該音声情報のデータを読出して音声報知手段(48)からスピーカ(49)を介して警報を再生し(ステップ２)、警報内容に関する対処方法の音声情報がある旨を使用者に伝達するために表示部(46)を点灯させる(ステップ３)。なお、ステップ２では、警報内容の音声報知のほか、操作部(25)の操作ボタン(26)の操作内容の音声報知にも適用される。かかる場合には、操作ボタン(26)の操作内容を音声出力し、また操作内容に関する詳細な説明を音声出力する。
【００２１】
表示部(46)が点灯している状態で、使用者が、所定時間経過するまでに(ステップ１１)、音声案内ボタン(27)を操作すると(ステップ４)、制御手段(40)は、音声報知手段(48)に音声情報を出力し、スピーカ(49)から音声出力する(ステップ５)。これにより、使用者は、必要な操作、メッセージ等を聴覚により知ることができる。
かかるステップ１からステップ５では、例えば揚げ物加熱を行うのに、操作手段で児童調理モードを設定したとき、音声報知手段(48)から「揚げ物運転を開始します。」と報知するとともに、表示部(46)を点灯する。使用者は、表示部(46)を見て音声案内ボタン(27)を操作すると、「標準の油量は500gから900gです。」と詳細な説明の音声報知を行うよう動作することである。
【００２２】
ボリューム設定、個人差、騒音やその他理由により、スピーカ(49)から再生された音声を、使用者が聞き取れなかった場合に、再度音声情報を聞くことができるように、ステップ５における音声情報を出力した後、所定時間経過するまでに(ステップ１２)、音声案内ボタン(27)を再度操作すると(ステップ６)、制御手段(40)は、音声報知手段(48)に音声情報を出力し、再度、スピーカ(49)から音声出力する(ステップ８)。なお、このとき、使用者が正しく聞き取ることができるように、前回の音声出力よりも大きなボリュームで音声を出力することが望ましい(ステップ７)。
【００２３】
上記において、音声案内ボタン(27)が所定時間以内に操作されない場合には(ステップ１１及びステップ１２)、表示部(46)を消灯すると共に(ステップ９)、制御手段(40)により読み出された音声情報やボリュームをリセットする(ステップ１０)。なお、表示部(46)を点灯させておく時間は３０秒〜１分程度とすることが望ましい。
【００２４】
本実施例によれば、使用者は、必要な音声情報がある場合に、音声案内ボタン(27)の操作により、音声情報を聞くことができる。また、再度音声情報を聞く場合に、ボリュームを大きくしたことにより、正確に音声情報を聞き取ることができる。
【００２５】
＜第２実施例＞
図４は、自動調理プログラムにおける揚げ物プログラムのフローチャート図である。
調理鍋に油を投入して、揚げ物を行なう場合、油量を正しく判別することが必要となる。
これは、調理鍋の温度はトッププレート(16)を介して中央サーミスタ(50)や横サーミスタ(51)で温度測定を行うため、調理鍋の温度がサーミスタに伝わるまでタイムラグがある。また、油は水に比べて比熱が小さいので温度が上昇しやすい。よって、加熱する油が少量の場合、サーミスタで測定した温度より実際の油の温度が高くなることがあり、最悪の場合油が発火する恐れがあるからである。
しかしながら、先の加熱調理の後、トッププレート(16)が熱くなっていると、油を入れた調理鍋の温度が低いにもかかわらず、中央サーミスタ(50)の測定温度はトッププレート(16)の温度を測定し高くなる。
一方、制御手段(40)は、調理鍋の油量を中央サーミスタ(50)の温度上昇で油量を判別、すなわち、温度上昇値が小さければ油量が多く温度上昇値が多ければ油量が少ないと判別する。しかし、トッププレート(16)が高温であると、油を入れた調理鍋の温度が測定できず、中央サーミスタ(50)の温度上昇が小さいと、油量が多いと判別するから、油温を適温に制御できず、場合によっては油温の異常加熱を起こすことがある。
そこで、中央サーミスタ(50)だけでなく、加熱コイルで発生する磁界の強くなる部分に配置された横サーミスタ(51)を利用して、安全検知を行ない、油温を異常加熱しないようにする。
【００２６】
具体的には、フローチャート図４に示すように、操作部(25)の操作により、揚げ物の調理プログラムが選択されると(ステップ２１)、制御手段(40)は、中央サーミスタ(50)の測定温度Ｔｃが、高温であるか、即ち、初期高温判定温度となる温度Ａ(例えば１００℃)以上であるかを判断する(ステップ２２)。このとき、中央サーミスタ(50)の測定温度Ｔｃが温度Ａより低ければ、油量判別ができると判断し、低温スタート制御を行なう(ステップ２３)。なお、低温スタート制御については、フローチャート図９にて説明する。
【００２７】
中央サーミスタ(50)の測定温度が、温度Ａ以上であると判断されると(ステップ２２)、上記理由により、正確な油量判別は困難であるから、横サーミスタ(51)を使用した安全検知が可能かどうかを判断するため、中央サーミスタ(50)の温度Ｔｃと、横サーミスタ(51)の温度Ｔｙを比較する(ステップ２４)。
その結果、横サーミスタ(51)の温度Ｔｙが、中央サーミスタ(50)の温度Ｔｃよりも温度ｂ(例えば１０℃)以上高ければ(ステップ２５)、横サーミスタ(51)を使用した安全検知が可能と判断し、ステップ２７に進む。一方、横サーミスタ(51)が正しく温度検知できないと判断した場合には、出力を下げた状態(例えば１０００Ｗ)で運転（ステップ２６）し、ステップ２４に戻る。
【００２８】
ステップ２５で、安全検知が可能であると判断されると、調理鍋の油温が異常であることが横サーミスタ(51)の温度で判断することのできる安全検知温度Ｃと横サーミスタ(51)の測定温度Ｔｙを比較する(ステップ２７及びステップ２８)。安全検知温度Ｃとは、例えば、揚げ物調理中に上昇することのない温度(例えば２５０℃)を意味する。
【００２９】
安全検知温度Ｃと横サーミスタ(51)の測定温度Ｔｙを比較した結果、横サーミスタ(51)の測定温度が、安全検知温度Ｃを越えていれば、横サーミスタ(51)の測定温度Ｔｙが、安全検知温度Ｃよりも所定温度ｄ(例えば５℃)低い温度となるまで加熱を停止する(ステップ２９及びステップ３０)。
【００３０】
ステップ２８で横サーミスタ(51)の温度Ｔｙが安全検知温度Ｃよりも低くなった場合、又は、上記ステップ２９及びステップ３０にて、横サーミスタ(51)の測定温度Ｔｙが、安全検知温度Ｃよりも所定温度ｄ低い温度となった場合、油温が異常に加熱されていないと判断される。
【００３１】
このとき、中央サーミスタ(50)の温度Ｔｃが設定温度となっているか否かを判断し(ステップ３２)、設定温度となっていれば、音声報知手段(48)から、例えば「適温になりました。」等のメッセージを報知して加熱を終了する(ステップ３３)。
ステップ３２にて、中央サーミスタ(50)の測定温度Ｔｃが設定温度となっていない場合には、高出力(例えば１６００Ｗ)で加熱を行ない、ステップ２７に戻る。
【００３２】
上記実施例によれば、中央サーミスタ(50)の測定温度Ｔｃだけでなく、横サーミスタ(51)の測定温度Ｔｙも考慮して、加熱手段の出力を制御するから、調理鍋を載置したときに、トッププレート(16)が熱い状態でも、油量を適正に判別し、油温が異常加熱されることを防止できる。
【００３３】
＜第３実施例＞
図５は、自動調理プログラムにおける揚げ物プログラムの異なる実施例を示すフローチャート図である。
上記第２実施例と同様、調理鍋に油を投入して、揚げ物を行なう場合、油量を正しく判別することが必要となる。
しかしながら、先に加熱調理を行なっていると、トッププレート(16)が熱くなっているから、中央サーミスタ(50)の測定温度は高くなる。このとき、油を入れた調理鍋をトッププレート(16)に載置すると、中央サーミスタ(50)の測定温度Ｔｃと、油温との間に測定誤差が生ずる。
この状態で加熱を行なうと、第２実施例と同様な問題を生じる。すなわち、トッププレート(16)の熱が調理鍋及び油に伝わり、中央サーミスタ(50)により測定される温度Ｔｃも下がるため、制御手段(40)は、油量が多いと判断し、高出力で加熱手段を制御するから、場合によっては油温の異常加熱を起こすことがある。
そこで、本実施例では、調理鍋の実際の油温と、中央サーミスタ(50)の測定温度Ｔｃを、設定温度Ｔｇよりも低い温度(第１安定温度Ｊ、第２安定温度Ｍ)で近づける安定制御を行ない、油の異常加熱を防止する。
【００３４】
フローチャート図５に示すように、操作部(25)の操作により、揚げ物の調理プログラムが選択されると(ステップ４１)、制御手段(40)は、中央サーミスタ(50)の測定温度Ｔｃが、高温であるか、即ち、初期高温判定温度となる温度Ｈ(例えば１００℃)以上であるかを判断する(ステップ４２)。このとき、中央サーミスタ(50)の測定温度Ｔｃが温度Ｈより低ければ、油量判別ができると判断し、低温スタート制御を行なう(ステップ４３)。なお、低温スタート制御については、フローチャート図９にて説明する。
【００３５】
中央サーミスタ(50)の測定温度が、温度Ｈ以上であると判断されると(ステップ４２)、正確な油量判別は困難であり、調理鍋の油温と中央サーミスタ(50)の測定温度Ｔｃが離れていると考えられる。
そこで、以下の制御を行なう。
【００３６】
まず、中央サーミスタの測定温度Ｔｃと、設定温度(適温制御温度)Ｔｇとを比較する(ステップ４４)。その結果、中央サーミスタ(50)の測定温度Ｔｃが、設定温度Ｔｇよりも所定温度ｉ(例えば３０℃)低い温度よりも高くなるまで(ステップ４５)、高出力(例えば１６００Ｗ)で加熱を行なう(ステップ４６)。
中央サーミスタ(50)の測定温度Ｔｃが、設定温度Ｔｇよりも所定温度ｉ低い温度以上に到達すると(ステップ４５)、第１安定制御(ステップ４８〜ステップ５３)を行なう。
【００３７】
第１安定制御は、設定温度Ｔｇよりも低い第１安定温度Ｊにて、油温と中央サーミスタ(50)の測定温度Ｔｃとを近づける制御であり、中央サーミスタ(50)の測定温度Ｔｃを第１安定温度Ｊと比較して(ステップ４７)、図６に示すように、測定温度Ｔｃが、第１安定温度Ｊを温度ｋ(例えば２℃)越えたときに(ステップ４８)、加熱を停止し(ステップ４９及びステップ５２)、測定温度Ｔｃが、第１安定温度Ｊよりも温度ｋ以下となると再加熱を行なう(ステップ５０乃至ステップ５２)。
上記ステップを所定時間(例えば３０秒)繰り返すことにより、中央サーミスタ(50)の測定温度Ｔｃと油温とを近づけることができる。
所定時間経過後、第１安定温度Ｊを跨いだ温度の昇降を、加熱手段の運転(ステップ５１)、停止(ステップ４９)により確認すると、第１安定制御は終了し、次のステップ５４に移行する(ステップ５３)。
斯かるステップ４７からステップ５２は、本発明の安定温度Ｊで加熱手段の加熱及び停止を繰り返した保温動作に相当する。
【００３８】
ステップ５３では、再度、中央サーミスタの測定温度Ｔｃと、設定温度(適温制御温度)Ｔｇとを比較する。その結果、中央サーミスタ(50)の測定温度Ｔｃが、設定温度Ｔｇよりも所定温度ｌ(例えば１５℃)低い温度よりも高くなるまで(ステップ５５)、高出力(例えば１６００Ｗ)で加熱を行なう(ステップ５６)。
中央サーミスタ(50)の測定温度Ｔｃが、設定温度Ｔｇよりも所定温度ｌ低い温度以上に到達すると(ステップ５５)、本発明の保温動作となる第２安定制御(ステップ５８〜ステップ６３)を行なう。
【００３９】
第２安定制御は、第１安定温度Ｊよりも高く、設定温度Ｔｇよりも低い第２安定温度Ｍにて、油温と中央サーミスタ(50)の測定温度Ｔｃとを近づける制御であり、中央サーミスタ(50)の測定温度Ｔｃを第２安定温度Ｍと比較して(ステップ５７)、図６に示すように、測定温度Ｔｃが、第２安定温度Ｍを温度ｎ(例えば２℃)越えたときに(ステップ５８)、加熱を停止し(ステップ５９及びステップ６２)、測定温度Ｔｃが、第２安定温度Ｍよりも温度ｎ以下となると再加熱を行なう(ステップ６０乃至ステップ６２)。
上記ステップを所定時間(例えば３０秒)繰り返すことにより、中央サーミスタ(50)の測定温度Ｔｃと油温とを近づけることができる。
所定時間経過後、第２安定温度Ｍを跨いだ温度の昇降を、加熱手段の運転(ステップ６１)、停止(ステップ５９)により確認すると、第２安定制御は終了し、次のステップ６４に移行する(ステップ６３)。
【００４０】
上記第１安定制御及び第２安定制御によって、中央サーミスタ(50)の測定温度Ｔｃと、実際の油温は近づき、ほぼ一致するから、以降は、中央サーミスタ(50)の測定温度Ｔｃが設定温度Ｔｇに到達するまで(ステップ６４及びステップ６５)、加熱手段を高出力(例えば１６００Ｗ)で運転し(ステップ６６)、測定温度Ｔｃが設定温度Ｔｇに到達すると、音声報知手段(48)から、例えば「適温になりました。」等のメッセージを報知して加熱を終了する(ステップ６７)。
【００４１】
本実施例によれば、第１安定制御及び第２安定制御によって、中央サーミスタ(50)の測定温度Ｔｃと、油温とを近づけることができるから、測定温度Ｔｃと実際の油温との乖離による油の異常加熱を防止できる。
なお、上記では、保温動作となる安定制御は２回行なっているが、安定制御は１回だけでもよく、また、３回以上としてもよい。
【００４２】
＜第４実施例＞
本実施例は、上記第２実施例及び第３実施例のステップ２３及びステップ４３における低温スタート制御に関するものである。
加熱手段(35)(36)では、図７に示すように加熱コイルはドーナツ状に配置されており、中心の加熱コイルのない位置に中央サーミスタ(50)が配置され、横サーミスタ(51)は、加熱コイル上に配置される。
【００４３】
加熱コイル上に配置される横サーミスタ(51)は、加熱コイルに誘導加熱により発生する熱量の影響を受ける。また、調理鍋の底形状の凹凸や反りの有無、材質、油量、油温等により、中央サーミスタ(50)と横サーミスタ(51)の測定温度に差が生じることがある。
実際の油温と、中央サーミスタ(50)の測定温度Ｔｃ、横サーミスタ(51)の測定温度Ｔｙを比較すると、図８に示すように、横サーミスタ(51)の測定温度Ｔｙは、実際の油温よりも高いことがわかる。なお、図８は、油量９００ｇの鉄鍋を加熱したときの両サーミスタ(50)(51)の温度Ｔｃ、Ｔｙと油温の実測値との関係を示している。
図８のとおり、横サーミスタ(51)の測定温度Ｔｙを利用して、油温を精度よく制御することは困難であることがわかる。
【００４４】
そこで、本実施例では、横サーミスタ(51)の測定温度Ｔｙと中央サーミスタ(50)の測定温度Ｔｃから、実際の油温に近い制御温度Ｔｗを算出し、油温を精度よく制御するものである。
【００４５】
具体的には、図９に示すフローチャートに基づいて、図１０に示すように調理鍋の底形状や油量等の調理鍋の状態を判別(「鍋判別」)し、得られた鍋判別データに基づいて、制御温度Ｔｗを決定するようにした。
【００４６】
図９に示すように、揚げ物が開始されると(ステップ７１)、中央サーミスタ(50)の測定温度Ｔｃが所定温度(例えば１２０℃)に到達しているか比較し、側手温度Ｔｃが所定温度以下であれば、所定温度に到達するまで高出力で加熱を行なう(ステップ７２及びステップ７３)。
【００４７】
所定温度到達後、高出力で加熱を行ないつつ、ｘ秒間(例えば７０秒)における温度上昇率を測定し、鍋判別データΔＶ０を算出する(ステップ７４乃至ステップ７６)。鍋判別データΔＶ０は、ｘ秒間の加熱による上昇温度をｘ秒で除算することにより算出できる。
【００４８】
ｘ秒経過後、次に、ｙ秒間(例えば４０秒)加熱を停止し、ｙ秒間における温度降下率を測定し、鍋判別データΔＶ１を算出する(ステップ７７乃至ステップ７９)。鍋判別データΔＶ１は、ｙ秒間の加熱停止による降下温度をｙ秒で除算することにより算出できる。
【００４９】
制御手段(40)は、図１０に示すように、種々の実験により予め作成された鍋判別マップに、算出された鍋判別データΔＶ０及びΔＶ１を適用し、図１０に示すように、予め設定された鍋判別データΔＶ０’とΔＶ１’の値と比較し、鍋判別する(ステップ８０)。
鍋判別マップには、上記のように、調理鍋の底形状、材質、油量、油温を、得られた鍋判別データΔＶ０及びΔＶ１から決定するものであり、得られた鍋判別データΔＶ０とΔＶ１から、中央サーミスタ(50)と横サーミスタ(51)により測定される温度の検知精度を判断し、実際の油温となる制御温度Ｔｗを、中央サーミスタ(50)の測定温度Ｔｃと横サーミスタ(51)の測定温度Ｔｙから算出するものである。
【００５０】
制御温度Ｔｗは、例えば、上記鍋判別マップの場合、(Ｔｙ×比率α＋Ｔｃ×比率β)／(比率α＋比率β)で表わすことができる。
制御手段(40)は、鍋判別マップに従い、調理鍋の底形状、材質、油量、油温を取得し、後述するとおり、上記数式により両サーミスタ(50)(51)に基づく制御温度Ｔｗを算出する(ステップ８４)。
【００５１】
ステップ８０にて、鍋判別データΔＶ０とΔＶ１が算出されると、制御手段(40)は、加熱手段を高出力で制御すると共に(ステップ８１)、中央サーミスタ(50)の温度Ｔｃと横サーミスタ(51)の温度Ｔｙを比較し(ステップ８２)、両サーミスタ(50)(51)の測定温度Ｔｃ、Ｔｙにより、温度制御可能か否かの判断を行なう。
【００５２】
両サーミスタ(50)(51)の測定温度ＴｃとＴｙを比較した結果、横サーミスタ(51)の測定温度Ｔｙが、中央サーミスタ(50)の測定温度Ｔｃよりも所定温度ｇ(例えば１０℃)以上高い場合には、調理鍋がトッププレート(16)の上に正しく置かれており、横サーミスタ(51)も正常に温度測定を行えると判断し、鍋判別データΔＶ０、ΔＶ１と、鍋判別マップから、比率αとβを導き出し、上記数式に代入して、制御温度Ｔｗを算出する(ステップ８４)。
ステップ８３において、横サーミスタ(51)の測定温度Ｔｙが、中央サーミスタ(50)の測定温度Ｔｃよりも所定温度ｇ(例えば１０℃)高い温度に到達していなければ、調理鍋がトッププレート(16)に正しく載置されておらず、横サーミスタ(51)が正常に温度測定できないと判断し、中央サーミスタ(50)の測定温度Ｔｃのみで温度測定を行ない、中央サーミスタ(50)の測定温度Ｔｃが設定温度Ｔｇに到達すると、加熱を終了して、適温報知する(ステップ８６)。
【００５３】
上記ステップ８４において、制御温度Ｔｗが算出されると、算出された制御温度Ｔｗが設定温度Ｔｇに到達するまで(ステップ８５)、加熱を行ない、制御温度Ｔｗが設定温度Ｔｇに到達すると(ステップ８６)、加熱を終了して適温報知する(ステップ８６)。
【００５４】
本実施例によれば、２つのサーミスタ(50)(51)に基づいて、鍋判別を行なうと共に、サーミスタ(50)(51)の測定温度ＴｃとＴｙにより、実際の油温に近い制御温度Ｔｗを導き出すことができ、サーミスタ(50)(51)の測定精度を高めることができ、油の異常加熱等を防止できる。
【００５５】
＜第５実施例＞
本実施例は、ロースタ部(33)の内部のトレー(61)を引き出す構造に関するものである。
図１１及び図１２に示すように、ロースタ部(33)は、調理庫(60)の内部側面には上下にガイド(71)(72)を有したコ字状のレール(70)が形成されている。
上側のガイド(71)の開口側上端は、上向きに屈曲しており、後述するトレー(61)のローラ(66)をスムーズに案内することができる。
【００５６】
レール(70)には、調理庫(60)の開口側に、ローラ(74)が配備されている。ローラ(74)は、フェノール樹脂等の耐熱性、耐久性にすぐれた硬い材料を用いることが望まれる。
【００５７】
調理庫(60)の内部は、ホーロー処理されており、奥側から加熱手段(38)であるシーズヒータが前方に向けて突設され、上面には平面ヒータ(38a)が配置されている。シーズヒータは、調理庫(60)の内部で屈曲しており、調理庫(60)の開口側の長さは、後述するとおり、トレー(61)を傾けた状態でトレー(61)や焼き網(62)に当たらない長さに調整されている。
【００５８】
なお、トレー(61)は、図１７に示すように凹状であり、前端には、蓋パネル(75)を取り付けるための金具(68)が取り付けられている。蓋パネル(75)は、図１６に示すように、基端側に調理庫(60)内を見ることができる窓(77)と取っ手(76)を有し、トレー(61)に着脱可能となっている。
また、トレー(61)の凹部には、図１７に示すように、下向きに脚(63)が突設された焼き網(62)が載置される。
【００５９】
トレー(61)の側面後端には、ローラ取付板(65)が後方に向けて突設されており、該ローラ取付板(65)には、ローラ(66)が配備されている。ローラ(66)は、鍔(64)の下側にくるように形成する。ローラ(66)は、前記レール(70)のガイド(71)(72)間に嵌まることができる直径であり、フェノール樹脂等の耐熱性、耐久性にすぐれた硬い材料を採用することができる。
また、トレー(61)の上部周縁には、外向きに広がる鍔(64)が形成されている。鍔(64)は、レール(70)やローラ(74)、次で説明するローラ(66)等の摺動部分に調理物が飛散したり、油が飛散することを防止すると共に、トレー(61)の出し入れの際に下面がローラ(74)と当たる。
【００６０】
上記トレー(61)は、図１３に示すように、調理庫(60)に対して、蓋パネル(75)側が少し上に傾くようにして、上側のガイド(71)の先端屈曲部分からガイド(71)(72)間に挿入され、図１２及び図１４に示すように、トレー(61)を調理庫(60)とほぼ水平に戻し、そのまま図１５及び図１６に示すように調理庫(60)内に押し込むことで、調理庫(60)に収納される。
【００６１】
このとき、トレー(61)のローラ(66)は、ガイド(71)(72)間で回転しつつ進行する。また、レール(70)のローラ(74)は、トレー(61)の鍔(64)の下面に当たって回転しつつ、トレー(61)を内部に導く。
このように、トレー(61)を調理庫(60)に収納する際に、トレー(61)の底面と調理庫(60)の底面が接触せず、また、トレー(61)とレール(70)は、ローラ(66)(74)によって、摺動抵抗が小さく、殆んど摩擦抵抗もないから、トレー(61)の出し入れの際に金属の擦れる不快音も発生することはない。
【００６２】
調理庫(60)に収納されたトレー(61)は、取っ手(76)を掴んで、図１６、図１５及び図１４に示す要領で、調理庫(60)から引き出すことができる。この場合も、トレー(61)と調理庫(60)との摺動抵抗や摩擦抵抗は小さいから、不快音の発生を抑え、スムーズなトレー(61)の引き出しを実現できる。
【００６３】
調理物の出し入れをする場合や、トレー(61)を洗浄する場合には、図１２に示すように、トレー(61)を調理庫(60)に対して水平な状態で引き出し、トレー(61)のローラ(66)が上側ガイド(71)の先端屈曲部まできたときに、図１３に示すように、蓋パネル(75)側を上向きに傾けつつ引っ張ることで、トレー(61)を調理庫(60)から完全に取り外すことができる。
【００６４】
本実施例によれば、トレー(61)は、不快音を発することなく調理庫(60)に挿入したり、引き出すことができる。
また、トレー(61)を単に前側に引いても、トレー(61)のローラ(66)がガイド(71)(72)間に残った状態で停止するから、誤ってトレー(61)が調理庫(60)から脱落してしまうことがない。
【００６５】
なお、上記の実施例において、ローラ(66)(74)によりトレー(61)と調理庫(60)との摺動抵抗や摩擦抵抗は小さくして、不快音の発生を抑え、スムーズなトレー(61)の引き出しを実現していたが、本発明はこれに限らず、ローラ(66)(74)の代わりに、レール(70)のガイド(71)(72)に、トレー(61)の摺動性を高め、摩擦抵抗を低くするために、ビード(73)(73)を形成しても良い。
【００６６】
この構成では、トレー(61)の側面には、図１７及び図１８に示すように、鍔(64)の下側に前記下側のガイドレール(70)に沿って摺動する摺動板(67)が突設されている。摺動板(67)は、ガイドレール(70)のビード(73)と当接し、トレー(61)をスライド可能としている。
【００６７】
このレール(70)、ローラ(71)(72)及び摺動板(67)は、トレー(61)を調理庫(60)内に収納する際又は引き出す際にトレー(61)の底面と調理庫(60)の底面が接触しないように、高さ調節をしておく。
上記第１実施例乃至第５実施例において、一実施例として誘導加熱調理器を説明したが、本発明はこれに限らず、フィッシュロースタや電気加熱調理器や電気オーブンなど加熱調理器全般に適用可能である。
【産業上の利用可能性】
【００６８】
本発明は、使用者に伝達する音声情報がある場合に、使用者が確実に音声情報を聞き取ることができる誘導加熱調理器として有用である。
また、本発明は、調理鍋の油量に拘わらず、油の異常加熱を防止することのできる誘導加熱調理器として有用である。
【図面の簡単な説明】
【００６９】
【図１】本発明の誘導加熱調理器の斜視図である。
【図２】制御手段のブロック図である。
【図３】本発明の実施例１のフローチャート図である。
【図４】本発明の実施例２のフローチャート図である。
【図５】本発明の実施例３のフローチャート図である。
【図６】安定制御を行なったときの中央サーミスタの測定温度を示すグラフである。
【図７】加熱部に配置されたサーミスタと、磁界強さの関係を示す図である。
【図８】サーミスタの測定温度と油温の実測値を示すグラフである。
【図９】本発明の実施例４のフローチャート図である。
【図１０】鍋判別マップである。
【図１１】トレーを取り外した状態の調理庫の内部を示す斜視図である。
【図１２】トレーのローラがレールに嵌まった状態を示す側面図である。
【図１３】トレーを調理庫に嵌め又は取り外す状態を示す側面図である。
【図１４】図１２の斜視図である。
【図１５】トレーを調理庫の中央近傍まで進入させた状態を示す斜視図である。
【図１６】トレーを調理庫に収納した状態を示す斜視図である。
【図１７】トレー及びトレーに載置された焼き網の斜視図である。
【図１８】トレーの摺動板と、レールのガイドとの係合状態を示す断面図である。
【符号の説明】
【００７０】
(10)  加熱調理器
(16)  トッププレート
(20)  操作手段
(25)  操作部
(30)  加熱部
(35)  加熱手段
(40)  制御手段
(42)  記憶部
(60)  調理庫
(61)  トレー
【図１】
2011151034.tif 000003
【図２】
2011151034.tif 000004
【図３】
2011151034.tif 000005
【図４】
2011151034.tif 000006
【図５】
2011151034.tif 000007
【図６】
2011151034.tif 000008
【図７】
2011151034.tif 000009
【図８】
2011151034.tif 000010
【図９】
2011151034.tif 000011
【図１０】
2011151034.tif 000012
【図１１】
2011151034.tif 000013
【図１２】
2011151034.tif 000014
【図１３】
2011151034.tif 000015
【図１４】
2011151034.tif 000016
【図１５】
2011151034.tif 000017
【図１６】
2011151034.tif 000018
【図１７】
2011151034.tif 000019
【図１８】
2011151034.tif 000020